(57)【要約】【課題】使い勝手が良く、相手を撃退することもできる防護用の盾として利用可能なクリップボード兼用盾を提供すること。【解決手段】平板状又は湾曲状の盾本体２の表面の少なくとも上部または側端部に用紙を挟み止めするクリップ３を設け、盾本体２の裏面に催涙スプレー６を内蔵可能にした取っ手５を設ける。催涙スプレー６のガス噴出ノズル７を盾本体２の開口部２ａから盾本体２の表面に臨ませてある。また、盾本体２の表面の少なくとも上部または側端部に一端部が支持され、盾本体２との間に用紙４を挟み得る透明又は半透明シート１１を設けた構成にすると、広告用などの表示パネルと兼用できる。さらに盾本体２の表面に鏡３１を設けることで鏡兼用盾となる。【選択図】図１
2004354035.tif 000002
【特許請求の範囲】
【請求項１】
板材から成る盾本体の表面の少なくとも上部または側端部に用紙を挟み止めするクリップを設け、盾本体の裏面に催涙スプレーを内蔵可能な取っ手を設け、該催涙スプレーのガス噴出ノズルを盾本体の裏面側から表面側に臨ませる開口部を盾本体表面のうち前記クリップで挟んだ用紙で覆われない端部に設けたことを特徴とするクリップボード兼用盾。
【請求項２】
盾本体とクリップの間に、クリップで固定されたシートを設けたことを特徴とする請求項１記載のクリップボード兼用盾。
【請求項３】
盾本体の裏面にアラームを設けたことを特徴とする請求項１または２記載のクリップボード兼用盾。
【請求項４】
前記取っ手は、該取っ手に設けられた催涙スプレーの挿入部が催涙スプレー内蔵不能な蓋で覆われていることを特徴とする請求項１ないし３のいずれかに記載のクリップボード兼用盾。
【請求項５】
盾本体の裏面に盾本体を立てるためのスタンドを設けたことを特徴とする請求項１ないし４のいずれかに記載のクリップボード兼用盾。
【請求項６】
板材から成る盾本体の表面の少なくとも上部または側端部に一端部が取付けと取外し自在に支持され、盾本体との間に用紙を挟み得る透明又は半透明シートを設け、盾本体の裏面に催涙スプレーを内蔵可能な取っ手を設け、該催涙スプレーのガス噴出ノズルを盾本体の裏面側から表面側に臨ませる開口部を盾本体表面のうち前記シートで挟んだ用紙で覆われない端部に設けたことを特徴とする表示ボード兼用盾。
【請求項７】
前記取っ手は、該取っ手に設けられた催涙スプレーの挿入部が催涙スプレー内蔵不能な蓋で覆われていることを特徴とする請求項６記載の表示ボード兼用盾。
【請求項８】
板材から成る盾本体の表面の上部または側端部に用紙を仮止めする仮止め部材を透明又は半透明シートの上から着脱自在に設けたことを特徴とする請求項６又は７記載の表示ボード兼用盾。
【請求項９】
盾本体の裏面にアラームを設けたことを特徴とする請求項６ないし８のいずれかに記載の表示ボード兼用盾。
【請求項１０】
盾本体の裏面に盾本体を立てるためのスタンドを設けたことを特徴とする請求項６ないし９のいずれかに記載の表示ボード兼用盾。
【請求項１１】
平板状の板材から成る盾本体の表面に鏡を設け、盾本体の裏面に催涙スプレーを内蔵可能な取っ手を設け、該催涙スプレーのガス噴出ノズルを盾本体の裏面側から表面側に臨ませる開口部を設けたことを特徴とする鏡兼用盾。
【請求項１２】
前記取っ手は、該取っ手に設けられた催涙スプレーの挿入部が催涙スプレー内蔵不能な蓋で覆われていることを特徴とする請求項１１記載の鏡兼用盾。
【請求項１３】
盾本体の裏面にアラームを設けたことを特徴とする請求項１１または１２記載の鏡兼用盾。
【請求項１４】
盾本体の裏面に盾本体を立てるためのスタンドを設けたことを特徴とする請求項１１ないし１３のいずれかに記載の鏡兼用盾。
【発明の詳細な説明】
【技術分野】
【０００１】
本発明は防護用の盾に関し、特にクリップボードと盾を兼用したクリップボード兼用盾、表示ボード兼用盾及び鏡兼用盾に関する。
【背景技術】
【０００２】
従来から、日本の警察機構の職員は、刑事事件や暴動の発生が予想される場所における警備用として、比較的大型の盾を使用してきた。また、民間においても、犯罪の凶悪化に対応して警備会社や銀行、消費者金融業、深夜営業の店舗等で防護用盾が使用される動きがある。
【０００３】
そのため、最近は防護用盾の出願発明が見られるようになり、特許出願がなされている。例えば、特開２０００−３５２９８号公報記載の防護盾についての出願があり、本出願人も、先に催涙スプレー付きの盾についての特許出願（特願２００２−２３８３８１号）などをした。
【０００４】
また、特開２００３−２８７３９８号公報には防護用の盾の縦方向にグリップ部が設けられた取っ手部分にノズルを上側にして催涙スプレーを収納する発明が開示されている。
【０００５】
上記従来から知られている盾は、警備官が日常の見回り時に所持するものとしては大げさに過ぎ、しかも一般の市民に威圧感を与えるおそれがある。
【０００６】
また、強化プラスチック製などの筆記台板の裏面に取っ手を備えた盾としても使用可能な盾兼用筆記台板に関する特許出願発明（特開平１１−１８３０９４号公報）がなされている。
【特許文献１】特開２０００−３５２９８号公報
【特許文献２】特願２００２−２３８３８１号
【特許文献３】特開平１１−１８３０９４号公報
【特許文献４】特開２００３−２８７３９８号公報
【発明の開示】
【発明が解決しようとする課題】
【０００７】
上記特開２０００−３５２９８号公報などに記載の防護用盾は、警備官が日常の見回り時に所持するものとしては大げさに過ぎ、しかも一般の市民に威圧感を与えるおそれがある。
【０００８】
また、前記特開平１１−１８３０９４号公報記載の盾兼用筆記台板は日常的に使用する筆記台板を盾としても使用できるようにするという着眼点が優れた発明であり、大きな防護用の盾とは異なり、手軽に持ち運びができ、また、凶器を持っている相手に遭遇しても自分の身体を防護できる。
【０００９】
前記発明には前記筆記台板の裏面に取っ手を固定する方法については開示されていないが、筆記台板に設けたネジ穴に取っ手固定用のネジを筆記台板表面側からねじ込む方法が安価で確実な方法である。この方法で取っ手を筆記台板に固定する場合に、ネジの頭を筆記台板に沈め込んだとしても表面に微妙な凹凸ができ、筆記台板として筆記するときに不具合が生じる。
【００１０】
また、前記筆記台板は大型の盾とは異なり、相手からの攻撃からしばらくの間、身を守ることができるに過ぎないため、攻撃してくる相手を撃退することはできない。また、盾として使用するときクリップに挟んだ用紙がめくれて邪魔になる。
【００１１】
さらに、特開２００３−２８７３９８号公報に記載の盾は催涙スプレーのノズルを上側にして取っ手の内部に収納しているので催涙ガスの噴霧が容易になる優れた構成のものであるが、単に防護用具としての用途しかない。
【００１２】
本発明の課題は、平常時には前記筆記台板として使い勝手が良く、また、非常時には相手を撃退することもできる防護用の盾あるいは表示用のパネルとして利用可能なクリップボード兼用盾又は表示ボード兼用盾を提供することである。
【００１３】
また、本発明の課題は、暴漢に襲われるなどの非常時に比べて時間的に圧倒的に多い平常時に、非常時に備えて身近に常備しておける有用な用途に使用することができる防護用の盾を提供することである。
【課題を解決するための手段】
【００１４】
上記本発明の課題は、次の解決手段により解決される。  
請求項１記載の発明は、板材から成る盾本体の表面の少なくとも上部または側端部に用紙を挟み止めするクリップを設け、盾本体の裏面に催涙スプレーを内蔵可能な取っ手を設け、該催涙スプレーのガス噴出ノズルを盾本体の裏面側から表面側に臨ませる開口部を盾本体表面のうち前記クリップで挟んだ用紙で覆われない端部に設けたクリップボード兼用盾である。
【００１５】
請求項２記載の発明は、盾本体とクリップの間に、クリップで固定されたシートを設けた請求項１記載のクリップボード兼用盾である。
【００１６】
本発明のクリップは盾本体の表面の上部、側端部に限らずに下部にも設けることができ、該クリップの形状は用紙を止めることができるものであれば、押しピンなどでも良い。
【００１７】
請求項３記載の発明は、盾本体の裏面にアラームを設けたことを特徴とする請求項１または２記載のクリップボード兼用盾である。
【００１８】
請求項４記載の発明は、取っ手に設けられた催涙スプレーの挿入部が催涙スプレー内蔵不能な蓋で覆われている請求項１ないし３のいずれかに記載のクリップボード兼用盾である。
【００１９】
請求項５記載の発明は、盾本体の裏面に盾本体を立てるためのスタンドを設けた請求項１ないし４のいずれかに記載のクリップボード兼用盾である。
【００２０】
請求項６記載の発明は、板材から成る盾本体の表面の少なくとも上部または側端部に一端部が取付けと取外し自在に支持され、盾本体との間に用紙を挟み得る透明又は半透明シートを設け、盾本体の裏面に催涙スプレーを内蔵可能な取っ手を設け、該催涙スプレーのガス噴出ノズルを盾本体の裏面側から表面側に臨ませる開口部を盾本体表面のうち前記シートで挟んだ用紙で覆われない端部に設けた表示ボード兼用盾である。
【００２１】
請求項７記載の発明は、取っ手に設けられた催涙スプレーの挿入部が催涙スプレー内蔵不能な蓋で覆われている請求項６記載の表示ボード兼用盾である。
【００２２】
請求項８記載の発明は、板材から成る盾本体の表面の上部または側端部に用紙を仮止めする仮止め部材を透明又は半透明シートの上から着脱自在に設けた請求項６又は７記載の表示ボード兼用盾である。
【００２３】
請求項９記載の発明は、盾本体の裏面にアラームを設けた請求項６ないし８のいずれかに記載の表示ボード兼用盾である。
【００２４】
請求項１０記載の発明は、盾本体の裏面に盾本体を立てるためのスタンドを設けた請求項６ないし９のいずれかに記載の表示ボード兼用盾である。
【００２５】
請求項１１記載の発明は、平板状の板材から成る盾本体の表面に鏡を設け、盾本体の裏面に催涙スプレーを内蔵可能な取っ手を設け、該催涙スプレーのガス噴出ノズルを盾本体の裏面側から表面側に臨ませる開口部を設けた鏡兼用盾である。
【００２６】
請求項１２記載の発明は、取っ手に設けられた催涙スプレーの挿入部が催涙スプレー内蔵不能な蓋で覆われている請求項１１記載の鏡兼用盾である。
【００２７】
請求項１３記載の発明は、盾本体の裏面にアラームを設けた請求項１１または１２記載の鏡兼用盾である。
【００２８】
請求項１４記載の発明は、盾本体の裏面に盾本体を立てるためのスタンドを設けた請求項１１ないし１３のいずれかに記載の鏡兼用盾である。
【００２９】
（作用）
請求項１記載の発明によれば、平常時は、盾本体の表面のクリップで用紙を挟み、用紙に書き込みなどをすることができるので、この盾を筆記用品として使用することができ、しかも暴漢などに襲われた場合には、すぐに防護用の盾として暴漢などからの攻撃を防ぎながら催涙スプレーから噴射ガスを発射させて撃退することもでき、また、開口部が、盾本体表面のうちクリップで挟んだ用紙で覆われない端部にあるので、挟んだ用紙を取り除かなくても催涙ガスの噴射が盾本体の表側から攻撃相手に向かって容易に行える。また、クリップは盾本体の表面の上部、側端部に限らずに下部にも設けることができるので、用途によって用紙をどのようにも盾本体の表面に仮止めできる。
【００３０】
請求項２記載の発明によれば、請求項１記載の発明の作用に加えて、盾本体とクリップの間に、クリップで固定されたシートが盾本体の表面に設けられているので、取っ手の盾本体への固定具であり、盾本体表面に沈め込んであるネジの頭がシートの下側に隠れるため、盾本体の表面の微妙な凹凸に関係なく、シート上の用紙に筆記することができる。またネジがゆるんだ場合はシートをめくって、容易に増し締めすることができる。さらに、盾本体のクリップで仮止めされる用紙を押えることができるので、クリップボード兼用盾をクリップボードとして使用する場合及び盾として使用する場合にどんな方向に盾本体を向けても、また、乱暴に扱っても仮止めした用紙がめくれたりせず邪魔にならない。
【００３１】
請求項３記載の発明によれば、請求項１または２記載の発明の作用に加えて、盾本体の裏面にアラームを設けたので、盾によって防御しながらアラームを作動させて大音響により、暴漢を怯ませると同時に異常事態の発生を周囲に報知することができる。
【００３２】
請求項４記載の発明によれば、催涙スプレーを使用することが相応しくない場合に適したクリップボード兼用盾として用いることができる。
【００３３】
請求項５記載の発明によれば、請求項１ないし４のいずれかに記載の発明の作用に加えて、盾本体の裏面に盾本体を立てるためのスタンドを設けたので、店舗や家庭では広告用のチラシ、写真、絵画、伝言用メモなどをクリップで挟みパネルとして利用でき、クリップボード兼用盾を身近に置いていても他人から見て違和感がなく、いざという時には直ちに盾として使用できる。  
また、上記スタンドは収納自在または着脱自在とする。
【００３４】
請求項６記載の発明によれば、平常時にはシートと盾本体の間に広告用のチラシ、写真、絵画、伝言用メモなどを挿入して表示用パネルとして利用でき、しかも暴漢などに襲われた場合には、すぐに防護用の盾として暴漢などからの攻撃を防ぎながら催涙スプレーから噴射ガスを発射させて撃退することもでき、また、開口部が、盾本体表面のうちシートで挟んだ用紙で覆われない端部にあるので、挟んだ用紙を取り除かなくても催涙ガスの噴射が盾本体の表側から攻撃相手に向かって容易に行える。また、シートは盾本体の表面の上部、側端部に限らずに下部でも取り付け、取り外し自在に支持されるので、用途によってシートをどのようにも盾本体の表面に仮止めできる。さらに、盾本体と透明又は半透明シートの間に広告用のチラシ、写真、絵画、伝言用メモなどを挟んで透明又は半透明シートが盾本体の表面に支持されるので、風などでめくれないようにすることができる。
【００３５】
請求項７記載の発明によれば、催涙スプレーを使用することが相応しくない場合に適した表示ボード兼用盾として用いることができる。
【００３６】
請求項８記載の発明によれば、請求項６又は７記載の発明の作用に加えて、表示用のボードをクリップボードとしても利用でき、しかもシートが盾本体表面の凹凸を吸収する筆記用の下敷きとして機能する。
【００３７】
請求項９記載の発明によれば、請求項６ないし８のいずれかに記載の発明の作用に加えて、盾本体の裏面にアラームを設けたので、盾によって防御しながらアラームを作動させて大音響により、暴漢を怯ませると同時に異常事態の発生を周囲に報知することができる。
【００３８】
請求項１０記載の発明によれば、請求項６ないし９のいずれかに記載の発明の作用に加えて、盾本体の裏面に盾本体を立てるためのスタンドを設けたので、店舗や家庭では広告用のチラシ、写真、絵画、伝言用メモなどの用紙を表示するパネルとして利用でき、盾を身近に置いていても他人から見て違和感がなく、いざという時には直ちに盾として使用できる。  
また、上記スタンドは収納自在または着脱自在とする。
【００３９】
上記本発明の防護用の盾の盾本体は板材からなるが、該板材は平板状の板又は平板状の板を湾曲させて水平断面（盾本体を地面に垂直に立てた場合の水平方向の断面）が湾曲した形状の板でもよい。この湾曲状の板は、筆記台板としても使用し得るものでなければならないので、その曲率半径は１８０ｍｍ以上であることが必要である。
【００４０】
請求項１１記載の発明によれば、平板状の板材から成る盾本体の表面に鏡を設けたので、店舗や家庭では鏡として利用でき、盾を身近に置いていても他人から見て違和感がなく、いざという時には直ちに盾として使用でき、しかも暴漢などに襲われた場合には、すぐに防護用の盾として暴漢などからの攻撃を防ぎながら催涙スプレーから噴射ガスを発射させて撃退することもできる。
【００４１】
請求項１２記載の発明によれば、催涙スプレーを使用することが相応しくない場合に適した鏡兼用盾として用いることができる。
【００４２】
請求項１３記載の発明によれば、請求項１１または１２記載の発明の作用に加えて、盾本体の裏面にアラームを設けたので、盾によって防御しながらアラームを作動させて大音響により、暴漢を怯ませると同時に異常事態の発生を周囲に報知することができる。
【００４３】
請求項１４記載の発明によれば、請求項１１ないし１３のいずれかに記載の発明の作用に加えて、盾本体の裏面に盾本体を立てるためのスタンドを設けたので、店舗や家庭ではスタンド付き鏡として利用でき、盾を身近に置いていても他人から見て違和感がなく、いざという時には直ちに盾として使用できる。  
また、上記スタンドは収納自在または着脱自在とする。
【発明の効果】
【００４４】
請求項１記載の発明によれば、平常時は、盾をクリップボードとして使用できるため、クリップボードを使用する機会の多いタクシーの運転者、警察官又はコンビニエンスストアの店員などは防具を別途備える必要が無く、しかもいざというときに直ちに防護用盾として使用できる。また、盾をクリップボードとして所持していれば他人に威圧感や警戒感を与えることもなくなる。さらに本発明の盾で相手の攻撃を受け止めながら催涙スプレーで相手に効果的に反撃を加えることができ、警察官の場合には、催涙スプレーで相手の攻撃を無力化し、無傷で捕り押さえることができ、しかも、盾本体の表面に臨む催涙スプレーノズル用の開口部が、盾本体表面のうちクリップで挟んだ用紙で覆われない端部にあるので、挟んだ用紙を取り除かなくても催涙ガスの噴射が盾本体の表面から攻撃相手に向かって効果的に行える。
【００４５】
請求項２記載の発明によれば、請求項１記載の発明の効果に加えて、取っ手の盾本体への固定具などがシートの下側に隠れるため、シート上の用紙に筆記することができ、筆記具としての機能性が良い。さらに、盾本体のクリップで仮止めされる用紙を押えることができるので、高い機能性を備えたクリップボード兼用盾が得られる。
【００４６】
請求項３記載の発明によれば、請求項１または２記載の発明の効果に加えて、暴漢に襲われたときは、盾によって防御しながら、アラームを作動させて大音量を発して、より効果的な防御が可能になる。
【００４７】
請求項４記載の発明によれば、催涙スプレーを使用することが相応しくない場合に適したクリップボード兼用盾として用いることができ、クリップボード兼用盾の用途が広がる。
【００４８】
請求項５記載の発明によれば、請求項１ないし４のいずれかに記載の発明の効果に加えて、盾本体を広告用のチラシや写真用のパネルスタンドなどとして利用でき、クリップボード兼用盾を身近に置いていても他人から見て違和感がなく、しかも必要時には防護用具として使用できる。また、上記スタンドは収納自在または着脱自在とするので使い勝手が良くなる。
【００４９】
請求項６記載の発明によれば、盾本体と透明又は半透明シートの間に用紙を挟み込むことができ、平常時は、前記用紙として広告用のチラシ、写真、絵画、伝言用メモなどを用いる表示パネルとして機能させながら、暴漢などに襲われたときには、催涙スプレーで相手に効果的に反撃を加えることができる。しかも、催涙スプレーノズルが盾本体の表面に臨む開口部が、盾本体表面のうちシートで挟んだ用紙で覆われない端部にあるので、挟んだ用紙を取り除かなくても催涙ガスの噴射が盾本体の表側から攻撃相手に向かって効果的に行える。また、シートは盾本体の表面の上部、側端部に限らずに下部でも取り付け、取り外し自在に支持されるので、用途によってシートをどのようにも盾本体の表面に仮止めでき、表示ボード兼用盾の使用範囲が広がる。
【００５０】
請求項７記載の発明によれば、催涙スプレーを使用することが相応しくない場合に適した表示ボード兼用盾として用いることができ、表示ボード兼用盾の用途が広がる。
【００５１】
請求項８記載の発明によれば、請求項６又は７記載の発明の効果に加えて、表示用のボードをシートを筆記用の下敷きとするクリップ付のボードとしても利用できるので、表示用のボードの利用価値を高める。またシートは透明又は半透明であるので、クリップを取り付けていないときにもクリップ取り付け用のシートに設けた穴は気にならない。
【００５２】
請求項９記載の発明によれば、請求項６ないし８のいずれかに記載の発明の効果に加えて、盾本体の裏面にアラームを設けたので、盾によって防御しながらアラームを作動させて大音響により、暴漢を怯ませると同時に異常事態の発生を周囲に報知することができ、より効果的な防御が可能になる。
【００５３】
請求項１０記載の発明によれば、請求項６ないし９のいずれかに記載の発明の効果に加えて、盾本体の裏面に盾本体を立てるためのスタンドを設けたので、店舗や家庭では表示用のパネルスタンドとして利用でき、防御用盾を身近に置いていても他人から見て違和感がなく、いざという時には直ちに盾として使用できるため、より効果的な防御が可能になる。また、上記スタンドは収納自在または着脱自在とするので使い勝手が良くなる。
【００５４】
請求項１１記載の発明によれば、盾本体の表面に鏡を設けたので、店舗や家庭では鏡として利用でき、盾を身近に置いていても他人から見て違和感がなく、いざという時には直ちに盾として使用でき、しかも暴漢などに襲われた場合には、すぐに防護用の盾として暴漢などからの攻撃を防ぎながら催涙スプレーから噴射ガスを発射させて撃退することもできる。
【００５５】
請求項１２記載の発明によれば、催涙スプレーを使用することが相応しくない場合に適した表示ボード兼用盾として用いることができ、鏡兼用盾の用途が広がる。
【００５６】
請求項１３記載の発明は、請求項１１又は１２記載の発明の効果に加えて、盾本体の裏面にアラームを設けたので、盾によって防御しながらアラームを作動させて大音響により、暴漢を怯ませると同時に異常事態の発生を周囲に報知することができ、より効果的な防御が可能になる。
【００５７】
請求項１４記載の発明は、請求項１１ないし１３のいずれかに記載の発明の効果に加えて、盾本体の裏面に盾本体を立てるためのスタンドを設けたので、店舗や家庭ではスタンド付き鏡として利用でき、盾を身近に置いていても他人から見て違和感がなく、いざという時には直ちに盾として使用でき、より効果的な防御が可能になる。また、上記スタンドは収納自在または着脱自在とするので使い勝手が良くなる。
【発明を実施するための最良の形態】
【００５８】
本発明の実施の形態を図面と共に説明する。  
【実施例１】
【００５９】
図１と図２には本発明の一実施例のクリップボード兼用盾の表側と裏側からそれぞれ見た斜視図を示す。
【００６０】
本実施例のクリップボード兼用盾１はクリップボードの機能を持った催涙スプレー付きの盾であり、平板状又は湾曲状の板材からなる盾本体２の表面の上部（盾を持って構えたときに上になる方）又は側端部にクリップ３を設け、該クリップ３に用紙４を挟んでクリップボードとして使用できるようになっている。図１には盾本体２の表面の上部にクリップ３を設けた例を示す。
【００６１】
盾本体２の材質は金属、プラスチックまたは木材などを用いることができ、また前記材質は不透明、半透明、透明材料のいずれでも良い。半透明又は透明材料が容易に得られることからプラスチックは望ましい材質である。プラスチックの中では耐衝撃性が高く、透明なポリカーボネートが最も好ましい。
【００６２】
盾本体２が半透明または透明な材質であれば、相手の動きが良く観察できるので、盾本体２を動かすときだけでなく、後述する催涙スプレー６及びアラーム１７を作動させるタイミングが取りやすくなるので好都合である。
【００６３】
また、盾本体２の裏面には「コ」字状の取っ手５を設けている。取っ手５は、例えば筒状部材で構成し、その内部に催涙スプレー６を内蔵可能にしておくことができる。
【００６４】
図３（図３（ａ）は上面図、図３（ｂ）は図３（ａ）のＡ−Ａ線切断面図）には本実施例のクリップボード兼用盾において、催涙スプレー６を取っ手５のグリップ部５ｂに挿入した状態を示す。取っ手５は盾本体２に取り付けた上下一対の支持部５ａと該一対の支持部５ａの先端部間に挿入され、円筒状のパイプ５ｂ１と該パイプ５ｂ１の外周を被覆する弾性部材５ｂ２からなる筒状のグリップ部５ｂとからなり、該パイプ５ｂ１内に催涙スプレー６を挿入する。
【００６５】
市販の催涙スプレー６にはボンベ６ａの頂部にスプレ噴射ボタン９を覆うキャップ６ｂが設けられているが、該キャップ６ｂには仮止め用の突起６ｄが設けられているので、該突起６ｄが嵌る切り欠き５ｃ、５ｄを取っ手５の前記支持部５ａとパイプ５ｂ１とにそれぞれ設け、これらの切り欠き５ｃ、５ｄを上下同じ位置に組み付ける。ただし支持部５ａの切り欠き５ｃの横幅はキャップ６ｂの突起６ｄの横幅とほぼ同じにするが、パイプ５ｂ１の切り欠き５ｄの横幅はキャップ６ｂの突起６ｄの横幅のほぼ２倍の大きさにしておく。そして催涙スプレー６を取っ手５内に挿入する際に前記切り欠き５ｃ、５ｄをキャップ６ｂの突起６ｄに合わせておき、パイプ５ｂ１内にボンベ６ａを挿入する。その後催涙スプレー６を少し回すことで、前記パイプ５ｂ１の切り欠き５ｄにキャップ６ｂの突起６ｄが入り込み、ボンベ６ａを取っ手５の支持部５ａ内に保持できる。
【００６６】
なお、取っ手５の支持部５ａは合成樹脂、その他の材質からなり、パイプ５ｂ１は合成樹脂、アルミパイプ、その他の材質からなり、弾性部材５ｂ２は合成樹脂、スポンジなどの材質からなる。
【００６７】
図４（図４（ａ）は上面図、図４（ｂ）は図４（ａ）のＡ−Ａ線切断面図）には内部に催涙スプレー６を挿入しない場合の取っ手５の構造を示す。この場合には取っ手５の円筒状のパイプ５ｂ１の上端は支持部５ａに比較的薄肉の蓋５ｅを設けたものである。前記蓋５ｅ以外の部材は図３に示す構成と同じであるので、それらの部材の説明は省略する。
【００６８】
図４に示すクリップボード兼用盾は取っ手５内に催涙スプレー６を挿入する必要のない場合に用いられ、例えば、不用意に取っ手５内の催涙スプレー６を使用する危険性のある、学校内、訓練の行き届かない接客要員が居る販売店など、防犯より、周囲の安全性が要請される場所で用いることができる。
【００６９】
また、図４に示す取っ手５の蓋５ｅは図４（ａ）に示すように３カ所の接合部５ｆの部分を切断するだけで催涙スプレー６を円筒状のパイプ５ｂ１内に収納できるので、図３と図４の両方の取っ手５の構造に適用できる製造工程で製造できるのでコスト的に有利である。
【００７０】
なお、図４に示す構造においても図４（ａ）に示すように１カ所の接合部５ｆには催涙スプレー６を用いる場合を想定して催涙スプレー６のキャップ６ｂに設けられる仮止め用の突起６ｄの挿入用の切り欠きを形成し得るようになっている。
【００７１】
図５には図４に示す催涙スプレー６を挿入しない取っ手５を備えたクリップボード兼用防護盾の裏面側の斜視図を示す。図５にはアラーム本体１８とアラームケース１９’を取り付けた場合の図を示しているが、この図に示す構成からなるアラーム１８本体とアラームケース１９’の詳細については後述する。
【００７２】
催涙スプレー６のボンベ６ａを取っ手５のグリップ部５ｂ内に収納した後は、催涙スプレー６の上端部にある噴射ノズル７のノズル先端部７ａを盾本体２の上端部に設けた開口部２ａを通して表面に出す構成としても良い。前記開口部２ａは盾本体２の表面のうちクリップ３で挟んだ用紙４で覆われない盾本体２の端部に設けられているのでノズル先端部７ａは筆記の邪魔にならない。なお、噴射ノズル７のノズル先端部７ａを通す盾本体２の開口部２ａは、盾本体２の上端部に設けることに限定されることなく用紙４を取り除かなくても催涙ガスの噴射に支障がなければ、盾本体２の表面側のどこに開口部２ａを設けても良い。
【００７３】
また、催涙スプレー６のノズル７の先端部７ａが盾本体２の開口部２ａに挿入されるので、催涙スプレー６の噴射ノズル７は催涙スプレー６の上端部の押圧式のボタン９（図６）付近からその先端部７ａまでには距離があるのでノズル７は「Ｌ」字状とし、催涙スプレー６の上端部から盾本体２の裏面に達する部分７ｂと盾本体２の裏面に沿った部分７ｃを有しており、ノズル部分７ｃは噴射ノズル固定具８で盾本体２の裏面に固定される。
【００７４】
さらに、盾本体２の外周部はゴムなどの弾性部材などからなるサイドガード２５を設けておき、盾本体２の補強と盾本体２自体の外周部により人が傷付つくことを防いでいる。
【００７５】
図６には催涙スプレー６の設置部分の盾１の断面図を示すが、催涙スプレー６のボタン９を押すと催涙スプレー６内部の液化ガス１０が噴射ノズル７を通って盾本体２の端部の開口部２ａに挿入されたノズル先端部７ａから盾本体２の表面を介して外部に噴射される。
【００７６】
図１、図２等に示す実施例では、催涙スプレー６は盾本体２の取っ手５内に縦長の催涙スプレー６の加圧ガスボンベ部分を挿脱可能な構造をしているが、取っ手５は、催涙スプレー６の加圧ガスボンベ部分を収納できる形状、構造の取っ手５であれば、いかなる形状、構造のものでも良く、またその取り付け数も２本以上でも良い。
【００７７】
本実施例のクリップボード兼用盾１は、通常は片手で取っ手５を持ち、もう一方の手に筆記具を持ってクリップ３に挟んだ用紙４に筆記することができる。万一、凶器を持った強盗や暴漢に襲われた場合は、盾本体２で攻撃を受け止めながら催涙スプレー６のボタン９を押して催涙ガスを噴射して相手を撃退することができる。
【００７８】
前記クリップ３は図面には典型例を示したに過ぎず、用紙４を仮り止めできる構造であれば、押しピンをはじめ、いかなる形状、構成のものでも使用できる。
【００７９】
一般に取っ手５の盾本体２への固定には、安価で確実なためネジ１２（図７）が使用されるが、ネジ１２の頭やナット等を盾本体２に沈め込んだとしても盾表面に微妙な凹凸ができることは避けられずクリップボードとして筆記に使用するときに不具合が生じる場合がある。
【００８０】
しかし、本実施例では図７の斜視図に示すように盾本体２とクリップ３との間に、ある程度の硬さがあって容易に曲げることのできるプラスチック製などのシート１１を配置し、これをクリップ３部分で固定しておくことで、取っ手５の盾本体２への固定具であるネジ１２の頭がシート１１の下側に隠れることになる。
【００８１】
従って、通常はシート１１を盾本体２に密着した状態にしておくことでシート１１によって盾本体２の表面の凹凸に関係なく、なめらかに筆記することができる。  
また、図７に示すようにシート１１をめくることができるようにしておけば、ネジ１２がゆるんだ場合は容易に増し締めすることができる。
【００８２】
また、噴射スプレー６のノズル先端部７ａが挿入される盾本体２の開口部２ａはクリップ３より上側のシート１１の開口部から盾本体２の表面に臨むようにしているので、クリップ３によりシート１１の上側に用紙を挟んでいても何ら支障なく催涙スプレー６を使うことができる。
【００８３】
図８には盾本体２の表側の下方部の斜視図を示すが、盾本体２においてクリップ３に対向する位置に用紙押え１３を設けることができる。用紙押えアーム１４は盾本体２の表面側の下端の辺に平行に伸びた用紙押えアーム１４の固定具１５の軸を中心に上下方向に回動できる構成にしておけば、シート１１上の用紙４を押えたり開放したり選択できる。用紙押え１３があることによって、本実施例のクリップボード兼用盾をクリップボードとして使用する場合及び盾として使用する場合にどんな方向に盾本体２を向けても、また、乱暴に扱っても挟んだ用紙４やシート１１がめくれたりせず邪魔にならない。また、用紙押え１３を設けた場合でもシート１１をめくることができるように、シート１１の用紙押え１３と干渉する部分に切欠部１１ａを設けておくことができる。
【００８４】
また、図９には盾本体２の裏側の斜視図を示すが、盾本体２の裏面にスタンド１６を設けることができる。スタンド１６は簡単に収納できるようにしておく。この場合には、店舗や家庭では、クリップ３に広告用のチラシや風景写真などを挟み、スタンド１６を利用して立てておけば、クリップボード兼用盾１を身近に置いていても他人から見て違和感がなく、いざという時には直ちに防護用の盾として使用できる。
【００８５】
さらに、図１０の盾本体２の裏側の斜視図を示すように、盾本体２にアラーム１７を設けておき、該アラーム１７をアラーム本体１８、アラームケース１９、ピン２０で構成しておけば、ピン２０を下方に引き抜くことによって警報を発することができる。この場合には強盗や暴漢に襲われた場合、盾本体２と催涙スプレー６とアラーム１７の音量によって相手に対処して時間を稼ぎながら、助っ人が警報を聞いて応援に駆けつけてもらうことができる。
【００８６】
また、アラーム本体１８は図１１（図１１（ａ）はアラーム設置部の断面図、図１１（ｂ）は一部正面図）に示すようにアラームケース１９の中でスピーカー部２１が前方（盾１を保持している人から見て）を向くように設置されていて、スピーカー部２１前方の盾本体２とシート１１にはそれぞれ開口部２２、２３が設けられている。開口部２２、２３は、挟んでいる用紙４によってふさがれないか又はわずかにふさがれる程度の位置に設けることによって筆記の際凹凸が実用上支障とならない。開口部２２、２３があるので、アラーム本体１８の音が効率よく前方に向かって発振される。
【００８７】
また、アラーム本体１８の周囲とアラームケース１９との間はスピーカー部２１を除いて遮音材又は防音材２４で覆い、アラーム本体１８の音が盾１を保持している人の側にできるだけ届かないようにする。
【００８８】
図示していないがアラーム１７には発信器を設けておき、受信器を例えば、外部アラームやコンビニエンスストアの管理センター、タクシー会社の本部管理事務所などに設けておくことで、アラーム１７が作動すると、近所の人や管理部門に緊急連絡ができ、より防犯性が高まる。
【００８９】
また、図１２の盾本体２の裏側の斜視図および図１３の盾の一部側断面図に示すようにアラームを盾本体２の裏面より浮かせて取り付け、スピーカー部２１の前方の盾本体２とシート１１には開口部を設けない構成とすることもできる。この場合にはスピーカ２１の両側面と裏面をアラームケース１９’で覆い、該ケース１９’によりスピーカー部２１の前方の盾本体２との間に隙間を設け、アラーム本体１８からの音は前記隙間から抜け出るようにしている。  
また、このとき前記隙間にコの字状のスタンド１６’の両脚を差し込みアラームケース１９’に支持させることでスタンド１６’を着脱自在とすることができる。
【実施例２】
【００９０】
図１４には表示ボード兼用の防護盾１’の実施例の斜視図を示す。図１４に示す表示ボード兼用の盾１’は図７に示すクリップボード兼用盾のクリップ３を取り外した構成に相当し、図７と同一の番号を付した部材は同一機能を奏するものであり、その説明は省略する。
【００９１】
図１４に示す表示用の盾の半透明又は透明シート１１は盾本体２上端部にネジ２６で止められており、シート１１の下端部は止めないで用いることができる。この表示用盾は盾本体２とシート１１との間に広告用のチラシ、写真、絵画、伝言用メモなどを挟み込むことで図示していない盾本体２の裏面側のスタンドを用いて立てておくことができる。
【００９２】
また、盾本体２の裏面側には催涙スプレー６を収納できる盾本体２の取っ手５を設けているので、暴漢などに襲われた場合に盾本体２と催涙スプレー６を用いて撃退することができる。
【００９３】
さらに、図１４には図示していないが、盾本体２の裏面側には、図１０、図１１で示すピン２０付きのアラーム１７と同様のアラーム設備を設けておくと（この場合には図１１で示すスピーカー部２１前方の盾本体２とシート１１にそれぞれ設けた開口部２２、２３に相当する構成を採用する。）、強盗などに襲われた場合に盾本体２と催涙スプレー６と図示しないアラームの音量によって相手に対処して時間を稼ぎながら、助っ人が警報を聞いて応援に駆けつけてもらうことができる。
【００９４】
図１５に示すように、図１４の表示ボード兼用盾１’を図１などに示すクリップボード兼用盾１に転用する場合にはクリップ３を取り付けることができる。このようにクリップ３を固定具３０ａ、３０ｂにより着脱自在とすることで、防護用の盾１’の用途を広げることができる。
【００９５】
また、図１６には図１４の表示ボード兼用盾本体２の表側の下方部の斜視図を示すが、盾本体２の下端部にシート押え２７を設けることができる。シート押えアーム２８は盾本体２の表面側の下端の辺に平行に伸びたシート押えアーム２８の固定具２９の軸を中心に上下方向に回動できる構成にしておけば、シート１１と盾本体２の間に挟まれた用紙４をしっかりと保持することができる。
【００９６】
シート押え２７を設けることで、図８で説明したクリップボード兼用盾１と同様に、どんな方向に盾本体２を向けても、また、乱暴に扱っても挟んだシート１１がめくれたりせず邪魔にならない。また、シート押え２７がシート１１と干渉しないように、また用紙４を取り替えるのに便利なように、シート押え２７と干渉する部分にシート１１の切欠部１１ａを設けておくことができる。
【００９７】
図１７には、図１４に示す表示ボード兼用の防護盾１’のシート１１が盾本体２の上端部だけでなく下端部にもネジ２６で止められた構成を示している。このようなネジ止めは仮止め部材の一種であり、装飾性に富むものにするなど、用途に応じて使い分けることが望ましい。
【００９８】
また、本実施例の表示ボード兼用の防護盾１’において、図３に示すような催涙スプレー６の取っ手５への取り付け構造、図４に示す催涙スプレー６を取り付けできないようにした取っ手部５の構造、図１２、図１３に示すアラーム１７の取り付け構造を採用することもできる。
【実施例３】
【００９９】
また、上記本発明の実施例１、２の防護用の盾１、１’は、平板状の板材からなる盾本体２を用いた場合の例を示したが、盾本体２は平板状の板である必要はなく、平板状の板を湾曲させて水平断面（盾本体２を地面に垂直に立てた場合の水平方向の断面）が湾曲した形状の板でもよい。この湾曲状の板は、筆記台板としても使用し得るものでなければならないので、その曲率半径は１８０ｍｍ以上であることが必要であり、湾曲状の板を盾本体２としたクリップボード兼用盾１の例を図１８の斜視図に示す。
【実施例４】
【０１００】
また、図１９には図１などに示した防御用の盾１の本体２の表面に鏡３１を配置した場合の斜視図を示す。図１９に示す鏡兼用盾１”における図１に示すクリップボード兼用盾１の部材と同一の番号を付した部材は同一機能を奏するものであり、その説明は省略する。図１９には示していないが盾本体２の裏面側にはスタンドを用いて立てておくことができる。
【０１０１】
また図２０には、盾本体２の裏面の取っ手（図示せず）の把持部に入れた催涙スプレー６の噴射ノズル７のノズル先端部７ａを盾本体２の上端部に設けた開口部２ａを通して表面に出す構成の部分断面図を示す。図２０には盾本体２の表面に設けた鏡３１にも開口３１ａを設け、催涙スプレー６の噴射ノズル７のノズル先端部７ａを盾本体２の表面側に臨ませていることを図示している。
【０１０２】
また、図２１は図１９の盾本体２の裏側に設けるアラーム１７部分の一部断面図であるが、図１１に示すクリップボード兼用盾１と同一部材は同一番号を付し、その説明は省略する。図２１に示すように盾本体２の表面には鏡３１を配置しているので、鏡３１にも開口部３３が設けられている。
【０１０３】
また、本実施例の鏡兼用の防護盾１”において、図３に示すような催涙スプレー６の取っ手５への取り付け構造、図４に示す催涙スプレー６を取り付けできないようにした取っ手部５の構造、図１２、図１３に示すアラーム１７の取り付け構造を採用することもできる。
【０１０４】
以上の本発明の各実施例の防護用の盾１、１’、１”の盾本体２の裏面には取っ手５を一対設けて両手で保持できる構成にしてもよい。この場合には暴漢などに襲われても、両手で盾１をしっかり握り締めながら、相手に立ち向かうことができるので、防御性がより高まる。
【産業上の利用可能性】
【０１０５】
本発明は、クリップボード、表示ボード、鏡と兼用の防護用の盾として適用可能である。
【図面の簡単な説明】
【０１０６】
【図１】本発明の実施例のクリップボード兼用盾の表面側から見た斜視図である。
【図２】図１のクリップボード兼用盾の裏面側から見た斜視図である。
【図３】図１の盾の上面図（図３（ａ））と図３（ａ）のＡ−Ａ線切断面図（図３（ｂ））である。
【図４】図１の盾の上面図（図４（ａ））と図４（ａ）のＡ−Ａ線切断面図（図４（ｂ））である。
【図５】図４に示す催涙スプレーを挿入しない取っ手を備えたクリップボード兼用防護盾の裏面側の斜視図である。
【図６】図１の盾の催涙スプレー設置部の断面図である。
【図７】図１の実施例の変形例の盾を表面側から見た斜視図である。
【図８】図１の実施例の変形例の盾の一部を表面側から見た斜視図である。
【図９】図１の実施例の変形例の盾の裏面側から見た斜視図である。
【図１０】図９の実施例の変形例の盾の裏面側から見た斜視図である。
【図１１】図１０の盾のアラーム設置部の断面図（図１１（ａ））と一部正面図（図１１（ｂ））である。
【図１２】図１の実施例の変形例の盾の裏側の斜視図である。
【図１３】図１２の盾の一部側断面図である。
【図１４】本発明の実施例の盾を表面側から見た斜視図である。
【図１５】図１４の実施例の変形例の盾の表面側から見た斜視図である。
【図１６】図１４の実施例の変形例の盾の一部を表面側から見た斜視図である。
【図１７】図１４の実施例の変形例の盾の表面側から見た斜視図である。
【図１８】本発明の実施例の湾曲状の板を盾本体としたクリップボード兼用盾の斜視図である。
【図１９】本発明の実施例の盾を表面側から見た斜視図である。
【図２０】図１９の盾の催涙スプレー設置部の断面図である。
【図２１】図１９の盾のアラーム設置部の断面図（図２１（ａ））と一部正面図（図２１（ｂ））である。
【符号の説明】
【０１０７】
１、１’、１”  盾        ２  盾本体
２ａ    開口部            ３  クリップ
４  用紙                  ５  取っ手
５ａ  支持部              ５ｂ  グリップ部
５ｂ１  パイプ            ５ｂ２  弾性部材
５ｃ、５ｄ  切り欠き      ５ｅ  蓋
５ｆ  接合部              ６  催涙スプレー
６ａ  ボンベ              ６ｂ  キャップ
６ｄ  突起                ７  噴射ノズル
７ａ  ノズル先端部        ７ｂ、７ｃ  ノズル部分
８  ノズル固定具          ９  ボタン
１０  液化ガス            １１  シート
１１ａ  切欠部            １２  ネジ
１３  用紙押え            １４  用紙押えアーム
１５  アーム固定具        １６、１６’  スタンド
１７  アラーム            １８  アラーム本体
１９、１９’  アラームケース
２０  ピン                ２１  スピーカー部
２２、２３  開口部        ２４  遮音材又は防音材
２５  サイドガード        ２６  ネジ
２７  シート押え          ２８  シート押えアーム
２９  固定具              ３０ａ、３０ｂ  固定具
３１  鏡                  ３１ａ  開口
３３  開口部
【図１】
2004354035.tif 000003
【図２】
2004354035.tif 000004
【図３】
2004354035.tif 000005
【図４】
2004354035.tif 000006
【図５】
2004354035.tif 000007
【図６】
2004354035.tif 000008
【図７】
2004354035.tif 000009
【図８】
2004354035.tif 000010
【図９】
2004354035.tif 000011
【図１０】
2004354035.tif 000012
【図１１】
2004354035.tif 000013
【図１２】
2004354035.tif 000014
【図１３】
2004354035.tif 000015
【図１４】
2004354035.tif 000016
【図１５】
2004354035.tif 000017
【図１６】
2004354035.tif 000018
【図１７】
2004354035.tif 000019
【図１８】
2004354035.tif 000020
【図１９】
2004354035.tif 000021
【図２０】
2004354035.tif 000022
【図２１】
2004354035.tif 000023